(57)【要約】【課題】スカウトスキャンを行う必要のないスキャン範囲設定装置およびＸ線ＣＴシステムおよびその制御方法を提供し、もって実際の被検体上でスキャン範囲の設定および確認を可能とするとともに、被曝量の低減を実現する。【解決手段】被検体の搬送方向（ｚ）に沿ってスライド可能な光源ユニット（３０１）を有するスキャン範囲設定装置（３００）が、テーブル（２０１）に載置された被検体を挟んで該テーブル（２０１）に対向する位置に設けられる。光源ユニット（３０１）における投光器Ａ、Ｂはそれぞれスキャン開始位置および終了位置を設定するためのものである。ここで、投光器Ｂは回動軸Ｃを支点として回動可能に設けられ、その角度を制御することで投光器Ｂからの照射光が被検体に当たる位置を調整する。【選択図】  図１
2004194995.tif 000002
【特許請求の範囲】
【請求項１】
テーブルに載置された被検体のスキャン範囲を設定するための、Ｘ線ＣＴシステムにおけるスキャン範囲設定装置であって、
前記テーブルの搬送方向に沿って所定間隔で配置された第１および第２の投光器を含む光源ユニットと、
前記光源ユニットの前記搬送方向における位置を調整する第１の調整手段と、
前記第２の投光器を回動させることで、前記第２の投光器の前記搬送方向における光軸を調整する第２の調整手段と、
前記第１の調整手段による調整を行うことで、前記第１の投光器の投光位置をもってスキャン範囲の一端の位置情報を入力する第１の入力手段と、
前記第２の調整手段による調整を行うことで、前記第２の投光器の投光位置をもってスキャン範囲の他端の位置情報を入力する第２の入力手段と、
を有することを特徴とするスキャン範囲設定装置。
【請求項２】
さらに、被検体までの距離を計測する計測手段を備え、
前記第２の入力手段は、計測された被検体までの距離と前記第２の調整手段による調整角度とに基づき前記他端の位置情報を計算することを特徴とする請求項１に記載のスキャン範囲設定装置。
【請求項３】
テーブルに載置された被検体のスキャン範囲を設定するために、前記テーブルの搬送方向に沿って所定間隔で配置された第１および第２の投光器を含む光源ユニットと、前記光源ユニットの前記搬送方向における位置を調整する第１の調整手段と、前記第２の投光器を回動させることで、前記第２の投光器の前記搬送方向における光軸を調整する第２の調整手段と、を備えるＸ線ＣＴシステムにおけるスキャン範囲設定装置の制御方法であって、
前記第１の調整手段による調整を行うことで、前記第１の投光器の投光位置をもってスキャン範囲の一端の位置情報を入力する第１の入力ステップと、
前記第２の調整手段による調整を行うことで、前記第２の投光器の投光位置をもってスキャン範囲の他端の位置情報を入力する第２の入力ステップと、
を有することを特徴とするスキャン範囲設定装置の制御方法。
【請求項４】
被検体載置用のテーブルと、そのテーブルに載置された被検体にＸ線を照射することで投影データを収集するスキャンを行うためのガントリ装置と、当該ガントリ装置に対してスキャンに係る情報を出力するとともに当該ガントリ装置から投影データを受信してＸ線断層像を再構成する操作コンソールと、を備えるＸ線ＣＴシステムであって、
前記テーブルの搬送方向に沿って所定間隔で配置された第１および第２の投光器を含む光源ユニットと、
前記光源ユニットの前記搬送方向における位置を調整する第１の調整手段と、
前記第２の投光器を回動させることで、前記第２の投光器の前記搬送方向における光軸を調整する第２の調整手段と、
前記第１の調整手段による調整を行うことで、前記第１の投光器の投光位置をもってスキャン範囲の一端の位置情報を入力する第１の入力手段と、
前記第２の調整手段による調整を行うことで、前記第２の投光器の投光位置をもってスキャン範囲の他端の位置情報を入力する第２の入力手段と、
前記第１および第２の入力手段で入力されたそれぞれの位置情報を前記操作コンソールに出力する出力手段と、
を有することを特徴とするＸ線ＣＴシステム。
【請求項５】
さらに、被検体までの距離を計測する計測手段を備え、
前記第２の入力手段は、計測された被検体までの距離と前記第２の調整手段による調整角度とに基づき前記他端の位置情報を計算することを特徴とする請求項４に記載のＸ線ＣＴシステム。
【請求項６】
被検体載置用のテーブルと、そのテーブルに載置した被検体にＸ線を照射することで投影データを収集するスキャンを行うためのガントリ装置と、当該ガントリ装置に対してスキャンに係る情報を出力するとともに当該ガントリ装置から投影データを受信してＸ線断層像を再構成する操作コンソールと、前記テーブルの搬送方向に沿って所定間隔で配置された第１および第２の投光器を含む光源ユニットと、前記光源ユニットの前記搬送方向における位置を調整する第１の調整手段と、前記第２の投光器を回動させることで、前記第２の投光器の前記搬送方向における光軸を調整する第２の調整手段と、を備えるＸ線ＣＴシステムの制御方法であって、
前記第１の調整手段による調整を行うことで、前記第１の投光器の投光位置をもってスキャン範囲の一端の位置情報を入力する第１の入力ステップと、
前記第２の調整手段による調整を行うことで、前記第２の投光器の投光位置をもってスキャン範囲の他端の位置情報を入力する第２の入力ステップと、
前記第１および第２の入力手段で入力されたそれぞれの位置情報を前記操作コンソールに出力する出力ステップと、
を有することを特徴とするＸ線ＣＴシステムの制御方法。
【請求項７】
さらに、被検体までの距離を計測する計測ステップを有し、
前記第２の入力ステップは、計測された被検体までの距離と前記第２の調整手段による調整角度とに基づき前記他端の位置情報を計算することを特徴とする請求項６に記載のＸ線ＣＴシステムの制御方法。
【請求項８】
テーブルに載置された被検体のスキャン範囲を設定するための、Ｘ線ＣＴシステムにおけるスキャン範囲設定装置であって、
スキャン範囲の少なくとも一端の位置を決定するために可視光を照射する投光器を備え、
前記投光器は、前記テーブルの搬送方向に沿って回動可能に設けられ、その回動角度を制御することで被検体への可視光の照射位置が調整されることを特徴とするスキャン範囲設定装置。
【発明の詳細な説明】
【０００１】
【発明の属する技術分野】
本発明は、Ｘ線照射によって被検体のＸ線断層像を得るＸ線ＣＴシステムおよびスキャン範囲設定装置およびその制御方法に関する。
【０００２】
【従来の技術】
Ｘ線ＣＴ（Computerized Tomography）システムおよび装置は、大別すると、被検体を挿入するための空洞部を有する装置（一般に、ガントリと呼ばれている）、ガントリに対して各種制御信号を与えるとともに、ガントリより得られた信号（データ）に基づいてＸ線断層像を再構成し表示する操作コンソール、そして、被検体をガントリの空洞部内に搬送するための搬送装置で構成される。
【０００３】
ガントリは、上記空洞部を挟んで設けられたＸ線発生源（Ｘ線管）とこのＸ線発生源より照射されたＸ線を検出するＸ線検出部とを内蔵する回転部を備える。
【０００４】
実際に、スキャンする場合には、被検体を上記の搬送装置上に横たえさせて、ガントリに向けて搬送する。そして、Ｘ線管を駆動しながらガントリの回転部（Ｘ線管とＸ線検出器）を回転駆動して（この動作を一般にスキャンという）、異なる角度から被検体に向けてＸ線を曝射し、各角度での被検体を透過したＸ線を検出する。そして、その検出されたデータ（一般に投影データという）を操作コンソールが受信し、算術演算によってＸ線断層像を再構成する、という工程を踏むことになる。
【０００５】
ところで、スキャンを実際に行う前に、搬送装置に載置した被検体の位置合わせ（ポジショニング）を行う必要がある。さらに、被検体のどの範囲をどのくらいのスライス厚でスキャンを行うのかといったスキャン条件や、画像再構成処理の条件について、診断部位や診断目的に合わせて計画を立てる必要もある。このような計画はスキャン計画とよばれる。Ｘ線ＣＴシステムは一般に、操作コンソールのモニタに表示されるスキャン計画画面からスキャン計画を立てるためのグラフィカルユーザインタフェース環境を提供している。
【０００６】
従来の被検体の位置合わせは次のように行われていた。まず、被検体を搬送装置のテーブルに載置し、そのテーブルをガントリに配置された投光器の位置まで移動する。次に、投光器からのレーザ光を被検体に向けて照射し、レーザ光が被検体の注目部位に応じた基準点（一般には臨床学上の基準位置）に合致するようにテーブル位置および／または被検体位置を調整する。調整を終えるとそこでリセットボタンを押すことで基準位置が決定される。その後、スキャン計画を立てるために、スカウトスキャンを行う。スカウトスキャンとは、Ｘ線管を一定の角度に固定したまま、被検体を徐々に搬送しながらＸ線を連続的に照射して得た投影データより１枚の透視像を得るものである。スカウトスキャンが終わると、操作コンソールにおいて、スキャン計画画面の所定領域にこの透視像（スカウト画像とよばれる）が表示される。オペレータはこのスカウト画像を見ながら、スキャン範囲（スキャン開始位置および終了位置）を含む各種スキャン条件を計画していく（例えば、特許文献１を参照。）。
【０００７】
【特許文献１】
特開平７−２２７３９１号公報
【０００８】
【発明が解決しようとする課題】
しかしながら、スキャン範囲（スキャン開始位置および終了位置）はスカウト画像に基づいて設定するのではなく、実際の被検体を前にして目視により定めたいという要請がある。また、スカウトスキャンを行うことなくスキャン範囲を設定することができれば、そのぶん被曝量を抑えることも可能になる。
【０００９】
そこで、本発明は、スカウトスキャンを行う必要のないスキャン範囲設定装置およびＸ線ＣＴシステムおよびその制御方法を提供し、もって実際の被検体上でスキャン範囲の設定および確認を可能とするとともに、被曝量の低減を実現することを目的とする。
【００１０】
【課題を解決するための手段】
本発明の一側面は、テーブルに載置された被検体のスキャン範囲を設定するための、Ｘ線ＣＴシステムにおけるスキャン範囲設定装置およびその制御方法に係る。このスキャン範囲設定装置は、前記テーブルの搬送方向に沿って所定間隔で配置された第１および第２の投光器を含む光源ユニットと、前記光源ユニットの前記テーブルの搬送方向における位置を調整する第１の調整手段と、前記第２の投光器を回動させることで、前記第２の投光器の前記搬送方向における光軸を調整する第２の調整手段とを備える。そして、前記第１の調整手段による調整を行うことで、前記第１の投光器の投光位置をもってスキャン範囲の一端の位置情報を入力し、前記第２の調整手段による調整を行うことで、前記第２の投光器の投光位置をもってスキャン範囲の他端の位置情報を入力する。
【００１１】
本発明の他の側面は、被検体載置用のテーブルと、そのテーブルに載置された被検体にＸ線を照射することで投影データを収集するスキャンを行うためのガントリ装置と、当該ガントリ装置に対してスキャンに係る情報を出力するとともに当該ガントリ装置から投影データを受信してＸ線断層像を再構成する操作コンソールと、を備えるＸ線ＣＴシステムに係る。このＸ線ＣＴシステムは更に、前記テーブルの搬送方向に沿って所定間隔で配置された第１および第２の投光器を含む光源ユニットと、前記光源ユニットの前記テーブルの搬送方向における位置を調整する第１の調整手段と、前記第２の投光器を回動させることで、前記第２の投光器の前記搬送方向における光軸を調整する第２の調整手段とを備えている。そして、前記第１の調整手段による調整を行うことで、前記第１の投光器の投光位置をもってスキャン範囲の一端の位置情報を入力し、前記第２の調整手段による調整を行うことで、前記第２の投光器の投光位置をもってスキャン範囲の他端の位置情報を入力し、前記第１および第２の入力手段で入力されたそれぞれの位置情報を前記操作コンソールに出力する。
【００１２】
さらに、本発明の他の側面は、テーブルに載置された被検体のスキャン範囲を設定するために、前記テーブルの搬送方向に沿って所定間隔で配置された第１および第２の投光器を含む光源ユニットと、前記光源ユニットの前記搬送方向における位置を調整する第１の調整手段と、前記第２の投光器を回動させることで、前記第２の投光器の前記搬送方向における光軸を調整する第２の調整手段と、を備えるＸ線ＣＴシステムにおけるスキャン範囲設定装置を制御するためのプログラムに係る。このプログラムは、前記第１の調整手段による調整を行うことで、前記第１の投光器の投光位置をもってスキャン範囲の一端の位置情報を入力する第１の入力ステップ、前記第２の調整手段による調整を行うことで、前記第２の投光器の投光位置をもってスキャン範囲の他端の位置情報を入力する第２の入力ステップ、を実行させる。
【００１３】
【発明の実施の形態】
以下、図面を参照して実施形態について詳細に説明する。
【００１４】
図１は、実施形態におけるＸ線ＣＴシステムを示す図である。
【００１５】
図中、１００はガントリであり、図示では、その構造を分かりやすくするために断面で示している。２００は搬送装置であって、被検体（患者）を載置するテーブル２０１をガントリ１００へ搬送するためものである。本明細書では、この搬送方向をｚ軸方向という。３００はスキャン範囲を設定するためのスキャン範囲設定装置である。４００は操作コンソールであって、ガントリ１００、テーブル装置２００およびスキャン範囲設定装置３００と通信する機能、および、ガントリ１００から転送されてきた、投影データを受信し、Ｘ線断層像を再構成する機能を有する。
【００１６】
ガントリ１００は、周知の如く、Ｘ線の発生源であるＸ線管１０１、Ｘ線管１０１から発生したＸ線を検出するＸ線検出素子群で構成されるＸ線検出部１０２、そして、これらＸ線管１０１およびＸ線検出部１０２を収容し、空洞部の周りを回転させる回転体１０３を有する。もっとも、ガントリ１００は、ガントリとして機能するためのその他の構成要素も備えるが、それらは本発明には直接には関係がないので、その説明については省略する。
【００１７】
実際にスキャンが行われる場合には、テーブル装置２００によって被検体をガントリ１００の空洞部に挿入し、回転体１０３を回転させると共にＸ線管１０１を駆動しつつ、Ｘ線検出部１０２で被検体を透過したＸ線を検出することになる。そして、回転体１０３の各回転角における透過Ｘ線のデータは投影データとして操作コンソール４００に転送され、操作コンソール４００では算術的にＸ線断層像を再構成することになる。
【００１８】
スキャン範囲設定装置３００は、テーブル２０１の真上に位置していて、図示においては検査室の天井に取り付けられている。本装置は、テーブル２０１に載置された被検体を挟んで、そのテーブル２０１に対向する位置にあるかぎり、天井に取り付けるかわりに、ガントリ１００やその他の専用の支柱に取り付けるようにしてもよい。
【００１９】
このスキャン範囲設定装置３００は、テーブル２０１に向けてレーザ光を発生する光源ユニット３０１がｚ軸方向に配されたガイドレール３０５に沿ってスライド自在に取り付けられた構成である。光源ユニット３０１は、スキャン開始位置を設定するためのレーザ光を発生する投光器Ａとスキャン終了位置を設定するためのレーザ光を発生する投光器Ｂとを含む。ここで、投光器Ｂは回動軸Ｃを支点としてｚ軸に沿って回動可能に設けられ、この回動角度を制御することでｚ軸方向における光軸を調整することができる。
【００２０】
また、３５０はスキャン範囲設定装置３００を用いてスキャン範囲の設定操作を行わせるための操作パネルである。この操作パネル３５０は、図示のように搬送装置２００の側面に設けられているが、ガントリ１００に設けるようにしてもよい。
【００２１】
実施形態におけるＸ線ＣＴシステムの構成は概ね上記のとおりであるが、次にスキャン範囲設定装置３００の構造を図２を用いて、より詳しく説明する。
【００２２】
図２はスキャン範囲設定装置３００のブロック構成図である。図中、１はスキャン範囲設定装置３００の全体の制御をつかさどるＣＰＵ、２は後述するスキャン範囲設定処理を実現するための制御プログラムを記録しているＲＯＭ、３はワークエリアとして使用されるＲＡＭである。４は操作コンソール４００と通信するためのインタフェース（Ｉ／Ｆ）である。
【００２３】
５は光源ユニット３０１のＯＮ／ＯＦＦを切り替えるためのスイッチである。６は、光源ユニット３０１をガイドレール３０５に沿って（すなわちｚ軸方向に沿って）移動させるためのモータで、このモータ６はＣＰＵ１の制御により動作するモータドライバ７によって駆動される。また、８は投光器Ｂを回動軸Ｃを支点として回動させるためのモータで、このモータ８はＣＰＵ１の制御により動作するモータドライバ９によって駆動される。なお、これらモータ６、８自体の構造およびそれによって移動するための構造そのものは公知のものを使用することができるので、その詳述は省略する。
【００２４】
また、図１では示さなかったが、光源ユニット３０１は投光器Ａから照射したレーザ光の反射光を受光するための受光器３０２が内蔵されている。
【００２５】
また、１０は、光源ユニット３０１のｚ軸位置を検出するための位置センサである。この位置センサ１０による位置検出は、例えば、図３に示すようなものとすることができる。すなわち、ガイドレール３０５の内側に沿って均一な抵抗盤３０６を配置し、その一端を接地し、他端に電圧ｖを印加する。そして、位置センサ１０における検出子がこの抵抗盤３０６に接触するようにする。接触位置における電圧は、その位置に対応する分圧となるので、その電位を検出することで光源ユニット３０１の位置を検出することができる。この検出電位はＡ／Ｄコンバータ３０７でディジタルデータに変換すればよい。
【００２６】
上記例はその一例であって、他のいかなる手法を用いても構わない。例えば、ｚ軸位置の検出に、プリンタ等で採用されているリニアエンコーダ、ロータリーエンコーダ等を採用しても構わない。
【００２７】
また、操作パネル３５０もＣＰＵ１に接続されている。図４に、操作パネル３５０の一例を示す。図中、４１は光源ユニット３０１のＯＮ／ＯＦＦを切り替えるためのスイッチである。ＣＰＵ１はこのボタン４１の状態に応じてスイッチ５を制御する。
【００２８】
４２は光源ユニット３０１を左に移動するよう指示するボタン、４３は光源ユニット３０１を右に移動するよう指示するボタンである。この移動ボタン４２または４３が押下されている間、ＣＰＵ１は対応する方向に移動するようモータドライバ７に指令を出してモータ６の駆動により光源ユニット３０１を移動させ、ボタンが離されるとＣＰＵ１はその移動が停止させることになる。
【００２９】
５２は投光器Ｂを左側に回動させるよう指示するボタン、５３は投光器Ｂを右側に回動させるよう指示するボタンである。この指示ボタン５２または５３が押下されている間、ＣＰＵ１は対応する方向に回動するようモータドライバ９に指令を出してモータ８の駆動により投光器Ｂの向きを変更させ、ボタンが離されるとＣＰＵ１はその変更動作を停止させる。
【００３０】
また、４４および４５はそれぞれ、スキャン開始位置および終了位置を設定するためのボタンであり、このボタンが押されると、ＣＰＵ１はそのときの対応する位置情報をＲＡＭ３に格納する。４６は、スキャン開始位置および終了位置の設定を確定するためのボタンで、このボタン４６が押されると、ＣＰＵ１は、ＲＡＭ３に格納されているスキャン開始位置および終了位置の情報をインタフェース４を介して操作コンソール４００に出力することになる。
【００３１】
以下、実施形態におけるスキャン範囲設定装置３００の動作を図５のフローチャートに従って説明する。このフローチャートに対応するプログラムはＲＯＭ２に格納されている制御プログラムに含まれ、ＣＰＵ１によって実行される。
【００３２】
まず、テーブル２０１に被検体を横たえ、テーブル２０１を所定のホームポジションに位置させた状態で、ステップＳ１として、操作パネル３５０のスイッチ４１の切り換え動作に基づき、光源ユニット３０１をＯＮにする。これにより投光器Ａ，Ｂからそれぞれレーザ光が発生し、被検体に照射される。次に、ステップＳ２で、光源ユニット３０１から被検体までの距離を計測する。これは、例えば、投光器Ａがレーザ光を照射してから受光器３０２がその反射光を受光するまでの時間差を測定することで計測が可能である。
【００３３】
次に、ステップＳ３で、ボタン４２または４３からの移動指示に基づき、光源ユニット３０１のｚ軸方向の位置が調整される。オペレータは、投光器Ａからの照射光が所望のスキャン開始位置に合致するように移動操作を行い、その後、ボタン４４を押す。そうすることで、位置センサ１０の出力に基づき、スキャン範囲の一端であるスキャン開始位置がＲＡＭ３に入力される。つまり、投光器Ａの投光位置をもってスキャン範囲の一端の位置情報が入力される。
【００３４】
次に、ステップＳ４で、ボタン５２または５３からの指示に基づき、投光器Ｂの向きが制御され、これにより投光器Ｂのｚ軸方向における光軸が調整され、被検体へのレーザ光の照射位置が調整される。オペレータは、投光器Ｂからの照射光が所望のスキャン終了位置に合致するように調整操作を行い、その後、ボタン４５を押す。そうすると、ステップＳ２で計測された被検体までの距離と投光器Ｂの調整角度とに基づき、スキャン範囲の他端であるスキャン終了位置が計算され、ＲＡＭ３に設定される。つまり、投光器Ｂの投光位置をもってスキャン範囲の他端の位置情報が入力される。
【００３５】
そして、ステップＳ５で、ＯＫボタン４６が押されると、ＲＡＭ３に設定されているスキャン開始位置および終了位置が操作コンソール４００に出力される。
【００３６】
オペレータは、次いで、別室に設けられた操作コンソール４００を操作する。この操作コンソール４００における動作処理手順は、概ね図６のフローチャートのとおりである。
【００３７】
まず、ステップＳ１１で、上記ステップＳ５により転送されてきたスキャン開始位置および終了位置のデータを入力する。
【００３８】
次に、ステップＳ１２で、スキャン計画を行う。従来はこのスキャン計画工程でスキャン開始位置および終了位置を設定する必要があったが、ここではすでにステップＳ１１でそれらを入力し終えているので設定する必要はない。したがって、このステップでは、その他のスキャン条件、例えば、スライス厚、Ｘ線管１０１に与える電流値、後述のステップＳ１５で行われる画像再構成のパラメータ等、の入力を行うことになる。
【００３９】
スキャン計画を終えると、ステップＳ１３で、オペレータのマウス、キーボード等の所定操作をトリガとして、スキャン指示をガントリ１００に送出する。ガントリ１００はこれに応じてスキャンを実行し、各スキャンで収集された投影データを操作コンソール４００に転送する。操作コンソール４００は、ステップＳ１４で、その投影データを入力する。その後、ステップＳ１５で、その投影データに基づきＸ線断層像の再構成処理を行い、ステップＳ１６で出力（表示またはプリント）処理を行う。
【００４０】
以上説明した実施形態によれば、従来は、スキャン計画を立てるために、スカウトスキャンを行い、そこで得られたスカウト画像を基にスキャン範囲（スキャン開始位置および終了位置）を定めるようにしていたところ、実際の被検体を前にして目視によりスキャン範囲を設定することができる。そして、このようにすることで、スカウトスキャンを行う必要がなくなるので、そのぶん被曝量を抑えることが可能になる。
【００４１】
なお、上述した実施形態では、ステップＳ４で、オペレータが投光器Ｂからの照射光が所望のスキャン終了位置に合致するように調整操作を行うようにしたが、操作コンソール４００においてあらかじめスキャン範囲の幅を設定できる場合には、スキャン範囲設定装置３００は、その設定情報を操作コンソール４００より入力し、その情報に基づいて自動的に投光器Ｂの角度を調整させることもできる。そのようなスキャン範囲設定装置３００の動作の具体例を、図７のフローチャートに示しておく。
【００４２】
このフローチャートにおいて、ステップＳ１，Ｓ２，Ｓ３はそれぞれ、図５のフローチャートにおけるステップＳ１，Ｓ２，Ｓ３と同様の処理を行うが、ステップＳ４，Ｓ５にかわり、ステップＳ６，Ｓ７の処理を行う。すなわち、ステップＳ６では、操作コンソール４００より、あらかじめ設定されたスキャン範囲の幅情報を入力する。そして、ステップＳ７で、ステップＳ２で計測した被検体までの距離と、ステップＳ６で入力したスキャン範囲の幅情報とに基づいて、投光器Ｂの角度を調整する。これにより所望のスキャン終了位置にレーザ光が照射される。
【００４３】
なお、上記実施形態の動作のほとんどはスキャン範囲設定装置３００における制御プログラムによるものであった。したがって、本発明の機能処理を実現するためのプログラム自体および、そのプログラムを格納した記録媒体そのものも本発明を実現するものである。つまり、本発明の特許請求の範囲には、本発明の機能処理を実現するためのプログラム自体および、そのプログラムを格納したコンピュータ読み取り可能な記録媒体も含まれうる。
【００４４】
【発明の効果】
以上説明したように、本発明によれば、スカウトスキャンを行う必要のないスキャン範囲設定装置およびＸ線ＣＴシステムおよびその制御方法を提供することができ、もって実際の被検体上でスキャン範囲の設定および確認を可能とするとともに、被曝量の低減を実現することが可能となる。
【図面の簡単な説明】
【図１】実施形態におけるＸ線ＣＴシステムの構成を示す図である。
【図２】実施形態におけるスキャン範囲設定装置のブロック構成図である。
【図３】実施形態の投光器のｚ軸位置を検出する手段の一例を説明するための図である。
【図４】実施形態の操作パネルの一例を示す図である。
【図５】実施形態におけるスキャン範囲設定装置の動作手順を示すフローチャートである。
【図６】実施形態における操作コンソールの動作手順を示すフローチャートである。
【図７】実施形態におけるスキャン範囲設定装置の別の動作手順を示すフローチャートである。
【図１】
2004194995.tif 000003
【図２】
2004194995.tif 000004
【図３】
2004194995.tif 000005
【図４】
2004194995.tif 000006
【図５】
2004194995.tif 000007
【図６】
2004194995.tif 000008
【図７】
2004194995.tif 000009